【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
遊技機内部の基板上に搭載されて、遊技機を制御する遊技機制御用チップセットであって、
該遊技機制御用チップセットを構成するそれぞれのチップの内部に、
他チップとデータを共有するためのデータの書き込み及び読み込みが可能な記憶領域と、
他のチップとの間でデータの通信を実行するデータ通信手段と、
を有し、
前記遊技機制御用チップセットのうちの中心となるメインＣＰＵ内部の記憶領域には、前記遊技機制御用チップセットのうちの他のチップ内部の記憶領域に対応付けられる記憶領域が設けられ、前記遊技機が通常の動作をする際にバックグラウンドにおいて各チップ間のデータ通信が実行され、各チップ間でデータが共有される遊技機制御用チップセット。
【請求項２】
請求項１に記載した遊技機制御用チップセットであって、
前記データ通信手段にて通信されるデータには、前記遊技機制御用チップセットを構成するチップ間を相互監視するための相互監視データを含み、
正規のチップ同士の通信でない場合には、当該チップの動作を停止する動作停止手段をさらに有する遊技機制御用チップセット。
【請求項３】
請求項２に記載した遊技機制御用チップセットであって、
前記相互監視データには各チップ固有のＩＤ情報を含むことを特徴とする遊技機制御用チップセット。
【請求項４】
請求項１，２又は３のいずれかに記載した遊技機制御用チップセットであって、
前記データ通信手段による通信は、暗号化されたデータで行うことを特徴とする遊技機制御用チップセット。
【請求項５】
請求項４に記載した遊技機制御用チップセットであって、
前記データ通信手段による通信は、各チップ固有のＩＤ情報により算出した暗号鍵により暗号化して実行することを特徴とする遊技機制御用チップセット。
【請求項６】
請求項４又は５のいずれかに記載した遊技機制御用チップセットであって、
前記データ通信手段によりなされる前記チップ間の通信は、チップの組み合わせごとに異なる暗号により暗号化された通信であることを特徴とする遊技機制御用チップセット。
【請求項７】
請求項４，５又は６のいずれかに記載した遊技機制御用チップセットであって、
前記データ通信手段には、乱数発生回路を含み、前記データ内に乱数を含むことを特徴とする遊技機制御用チップセット。
【請求項８】
請求項１，２，３，４，５，６又は７のいずれかに記載した遊技機制御用チップセットであって、
前記データ通信手段によるデータ通信はシリアル通信で行われることを特徴とする遊技機制御用チップセット。
【請求項９】
データの書き込み及び読み込みが可能な記憶領域と、他のチップとの間でデータの通信を実行するデータ通信手段とを有する遊技機制御用チップを複数設けた遊技機制御用基板において、前記遊技機が通常の動作をする際にバックグラウンドで各チップ間のデータ通信を実行する遊技機制御用チップ間の通信方法であって、
他のチップとの間での初期化処理を行う初期化ステップと、
遊技用ＣＰＵの動作を開始する遊技用ＣＰＵ動作開始ステップと、
該遊技用ＣＰＵ動作開始ステップにて開始された遊技用プログラムの動作のバックグラウンドで他のチップのＲＡＭへのデータ更新処理を行うデータ更新ステップと、
該データ更新ステップにてなされたデータ更新の過程におけるプロトコル通信に異常が生じた場合に、その異常を検出した遊技用ＣＰＵを停止する遊技用ＣＰＵ停止ステップと
を有する遊技機制御用チップ間の通信方法。
【請求項１０】
請求項９に記載した遊技機制御用チップ間の通信方法であって、
前記初期化ステップ及びデータ更新ステップにおける通信においてやり取りされるデータには、前記複数の遊技機制御用チップ間の相互監視データを含むことを特徴とする遊技機制御用チップ間の通信方法。
【請求項１１】
請求項１０に記載した遊技機制御用チップ間の通信方法であって、
前記相互監視データには、各チップ固有のＩＤ情報を含むことを特徴とする遊技機制御用チップ間の通信方法。
【請求項１２】
請求項９,１０又は１１のいずれかに記載した遊技機制御用チップ間の通信方法であって、
前記初期化ステップ及びデータ更新ステップにおける通信においてやり取りされるデータは、暗号化されたデータであることを特徴とする遊技機制御用チップ間の通信方法
【請求項１３】
請求項１２に記載した遊技機制御用チップ間の通信方法であって、
前記初期化ステップ及びデータ更新ステップにおける通信は、各チップ固有のＩＤ情報により算出した暗号鍵により暗号化して実行することを特徴とする遊技機制御用チップ間の通信方法。
【請求項１４】
請求項１３に記載した遊技機制御用チップ間の通信方法であって、
前記初期化ステップ及びデータ更新ステップにおける通信は、チップの組み合わせごとに異なる暗号により暗号化された通信であることを特徴とする遊技機制御用チップ間の通信方法。
【請求項１５】
請求項１２,１３又は１４のいずれかに記載した遊技機制御用チップ間の通信方法であって、
前記データ通信手段には乱数発生回路を含み、
前記初期化ステップ及びデータ更新ステップにおける通信においてやり取りされるデータは該乱数発生回路にて発生させた乱数を含むことを特徴とする遊技機制御用チップ間の通信方法。
【請求項１６】
請求項９,１０，１１，１２，１３，１４又は１５のいずれかに記載した遊技機制御用チップ間の通信方法であって、
前記初期化ステップ及びデータ更新ステップにおける通信は、シリアル通信で行われることを特徴とする遊技機制御用チップ間の通信方法。
【手続補正２】
【補正対象書類名】明細書
【補正対象項目名】０００５
【補正方法】変更
【補正の内容】
【０００５】
かかる課題を解決すべく、本発明にかかる遊技機制御用チップセットは、遊技機内部の基板上に搭載されて、遊技機を制御する遊技機制御用チップセットであって、該遊技機制御用チップセットを構成するそれぞれのチップの内部に、他チップとデータを共有するためのデータの書き込み及び読み込みが可能な記憶領域と、他のチップとの間でデータの通信を実行するデータ通信手段と、を有し、前記遊技機制御用チップセットのうちの中心となるメインＣＰＵ内部の記憶領域には、前記遊技機制御用チップセットのうちの他のチップ内部の記憶領域に対応付けられる記憶領域が設けられ、前記遊技機が通常の動作をする際にバックグラウンドにおいて各チップ間のデータ通信が実行され、各チップ間でデータが共有されるものである。
【手続補正３】
【補正対象書類名】明細書
【補正対象項目名】０００６
【補正方法】変更
【補正の内容】
【０００６】
請求項２に記載した発明は、請求項１に記載した遊技機制御用チップセットであって、前記データ通信手段にて通信されるデータには、前記遊技機制御用チップセットを構成するチップ間を相互監視するための相互監視データを含み、正規のチップ同士の通信でない場合には、当該チップの動作を停止する動作停止手段をさらに有するものである。
【手続補正４】
【補正対象書類名】明細書
【補正対象項目名】０００７
【補正方法】変更
【補正の内容】
【０００７】
請求項３に記載した発明は、請求項２に記載した遊技機制御用チップセットであって、前記相互監視データには各チップ固有のＩＤ情報を含むことを特徴とするものである。
【手続補正５】
【補正対象書類名】明細書
【補正対象項目名】０００８
【補正方法】変更
【補正の内容】
【０００８】
請求項４に記載した発明は、請求項１，２又は３のいずれかに記載した遊技機制御用チップセットであって、前記データ通信手段による通信は、暗号化されたデータで行うことを特徴とするものである。
【手続補正６】
【補正対象書類名】明細書
【補正対象項目名】０００９
【補正方法】変更
【補正の内容】
【０００９】
請求項５に記載した発明は、請求項４に記載した遊技機制御用チップセットであって、前記データ通信手段による通信は、各チップ固有のＩＤ情報により算出した暗号鍵により暗号化して実行することを特徴とするものである。
【手続補正７】
【補正対象書類名】明細書
【補正対象項目名】００１０
【補正方法】変更
【補正の内容】
【００１０】
請求項６に記載した発明は、請求項４又は５のいずれかに記載した遊技機制御用チップセットであって、前記データ通信手段によりなされる前記チップ間の通信は、チップの組み合わせごとに異なる暗号により暗号化された通信であることを特徴とするものである。
【手続補正８】
【補正対象書類名】明細書
【補正対象項目名】００１１
【補正方法】変更
【補正の内容】
【００１１】
請求項７に記載した発明は、請求項４，５又は６のいずれかに記載した遊技機制御用チップセットであって、前記データ通信手段には、乱数発生回路を含み、前記データ内に乱数を含むことを特徴とするものである。
【手続補正９】
【補正対象書類名】明細書
【補正対象項目名】００１２
【補正方法】変更
【補正の内容】
【００１２】
請求項８に記載した発明は、請求項１，２，３，４，５，６又は７のいずれかに記載した遊技機制御用チップセットであって、前記データ通信手段によるデータ通信はシリアル通信で行われることを特徴とするものである。
【手続補正１０】
【補正対象書類名】明細書
【補正対象項目名】００１３
【補正方法】変更
【補正の内容】
【００１３】
請求項９に記載した発明は、データの書き込み及び読み込みが可能な記憶領域と、他のチップとの間でデータの通信を実行するデータ通信手段とを有する遊技機制御用チップを複数設けた遊技機制御用基板において、前記遊技機が通常の動作をする際にバックグラウンドで各チップ間のデータ通信を実行する遊技機制御用チップ間の通信方法であって、他のチップとの間での初期化処理を行う初期化ステップと、遊技用ＣＰＵの動作を開始する遊技用ＣＰＵ動作開始ステップと、該遊技用ＣＰＵ動作開始ステップにて開始された遊技用プログラムの動作のバックグラウンドで他のチップのＲＡＭへのデータ更新処理を行うデータ更新ステップと、該データ更新ステップにてなされたデータ更新の過程におけるプロトコル通信に異常が生じた場合に、その異常を検出した遊技用ＣＰＵを停止する遊技用ＣＰＵ停止ステップとを有するものである。
【手続補正１１】
【補正対象書類名】明細書
【補正対象項目名】００１４
【補正方法】変更
【補正の内容】
【００１４】
請求項１０に記載した発明は、請求項９に記載した遊技機制御用チップ間の通信方法であって、前記初期化ステップ及びデータ更新ステップにおける通信においてやり取りされるデータには、前記複数の遊技機制御用チップ間の相互監視データを含むことを特徴とする遊技機制御用チップ間の通信方法。
【手続補正１２】
【補正対象書類名】明細書
【補正対象項目名】００１５
【補正方法】変更
【補正の内容】
【００１５】
請求項１１に記載した発明は、請求項１０に記載した遊技機制御用チップ間の通信方法であって、前記相互監視データには、各チップ固有のＩＤ情報を含むことを特徴とするものである。
【手続補正１３】
【補正対象書類名】明細書
【補正対象項目名】００１６
【補正方法】変更
【補正の内容】
【００１６】
請求項１２に記載した発明は、請求項９,１０又は１１のいずれかに記載した遊技機制御用チップ間の通信方法であって、前記初期化ステップ及びデータ更新ステップにおける通信においてやり取りされるデータは、暗号化されたデータであることを特徴とするものである。
【手続補正１４】
【補正対象書類名】明細書
【補正対象項目名】００１７
【補正方法】変更
【補正の内容】
【００１７】
請求項１３に記載した発明は、請求項１２に記載した遊技機制御用チップ間の通信方法であって、前記初期化ステップ及びデータ更新ステップにおける通信は、各チップ固有のＩＤ情報により算出した暗号鍵により暗号化して実行することを特徴とするものである。
【手続補正１５】
【補正対象書類名】明細書
【補正対象項目名】００１８
【補正方法】変更
【補正の内容】
【００１８】
請求項１４に記載した発明は、請求項１３に記載した遊技機制御用チップ間の通信方法であって、前記初期化ステップ及びデータ更新ステップにおける通信は、チップの組み合わせごとに異なる暗号により暗号化された通信であることを特徴とするものである。
【手続補正１６】
【補正対象書類名】明細書
【補正対象項目名】００１９
【補正方法】変更
【補正の内容】
【００１９】
請求項１５に記載した発明は、請求項１２,１３又は１４のいずれかに記載した遊技機制御用チップ間の通信方法であって、前記データ通信手段には乱数発生回路を含み、前記初期化ステップ及びデータ更新ステップにおける通信においてやり取りされるデータは該乱数発生回路にて発生させた乱数を含むことを特徴とするものである。
【手続補正１７】
【補正対象書類名】明細書
【補正対象項目名】００２０
【補正方法】変更
【補正の内容】
【００２０】
請求項１６に記載した発明は、請求項９,１０，１１，１２，１３，１４又は１５のいずれかに記載した遊技機制御用チップ間の通信方法であって、前記初期化ステップ及びデータ更新ステップにおける通信は、シリアル通信で行われることを特徴とするものである。